(57)【要約】【課題】複数の切り込み線が繋がることによって複数の領域に分離可能なプリント用シートにおいて、切り込み線によって分離した場合に紙むけを生じさせず、かつ、所定方向に搬送されながら表面に印刷が施される場合に切り込み線における引っ掛かりを回避する。【解決手段】複数のカット部４１が、カット部４１が延びる方向に並んで設けられ、カット部４１が繋がることによって２つの領域に分離可能に構成され、所定の方向に搬送されながら表面に印刷が施される第１紙片部１０において、カット部４１間のタイ部４３に、２つのカット部４１を結ぶ直線から、その直線が延びる方向に対して第１紙片部１０の分離開始端側でかつ、第１紙片部１０のうち捲り上げられる領域側に斜めに延びたカット部４２を設ける。【選択図】図１
2011189681.tif 000002
【特許請求の範囲】
【請求項１】
複数の切り込み線が、該切り込み線が延びる方向に並んで設けられ、前記複数の切り込み線が繋がることによって複数の領域に分離可能に構成され、所定の方向に搬送されながら表面に印刷が施され、前記切り込み線を介した複数の領域のうち一方の領域が捲り上げられることによって分離されるプリント用シートであって、
前記複数の切り込み線間に、当該複数の切り込み線を結ぶ直線と交差し、該交差した点から当該直線が延びる方向に対して前記プリント用シートの分離開始端側でかつ、前記捲り上げられる領域側に斜めに延びた補助切り込み線を有するプリント用シート。
【請求項２】
複数の切り込み線が、該切り込み線が延びる方向に並んで設けられ、前記複数の切り込み線が繋がることによって複数の領域に分離可能に構成され、所定の方向に搬送されながら表面に印刷が施され、前記切り込み線を介した複数の領域のうち一方の領域が捲り上げられることによって分離されるプリント用シートであって、
前記複数の切り込み線間に、当該複数の切り込み線を結ぶ直線に対して前記捲り上げられる領域側を始点とし、該始点から前記直線が延びる方向に対して前記プリント用シートの分離開始端側でかつ、当該直線から離れる方向に斜めに延びた補助切り込み線を有するプリント用シート。
【発明の詳細な説明】
【技術分野】
【０００１】
本発明は、複数の切り込み線が一方向に並んで設けられ、この複数の切り込み線が繋がることによって複数の領域に分離されるプリント用シートに関し、特に、所定方向に搬送されながら表面に印刷が施される際の切り込み線における引っ掛かり防止技術に関する。
【背景技術】
【０００２】
従来より、紙等のシート媒体を破断して複数の領域に分離する分離構造として、直線からなる複数の切り込み線が一方向に配列したミシン目が用いられている。このようなミシン目は、複数の切り込み線がそれぞれ配列方向に延びた直線形状となっており、シート媒体のミシン目を挟んだ一方の領域を複数の切り込み線の配列方向に引っ張ることにより、複数の切り込み線が繋がり、シート媒体を複数の領域に分離することができる。
【０００３】
近年、このような切り込み線の形状を工夫することにより、複数の切り込み線からなるミシン目を用いてシート媒体を複数の領域に分離した場合に、ミシン目に沿ってシート媒体が破断されずに紙むけ等が生じてしまうことを回避するミシン目が考えられている。
【０００４】
図５は、従来のミシン目の一例を示す図であり、（ａ）はその構成を示す図、（ｂ）はミシン目に沿って分離シートが破断されていく様子を示す図である。
【０００５】
本従来例におけるミシン目２４０は図５（ａ）に示すように、１本の直線部とこの直線部の一端から斜めに分岐した２本の直線からなる斜線部とによって形成されるＹ字状の複数の切り込み２４１からなり、この複数の切り込み２４１が、分離シート２０１において直線部が延びる方向に並んで設けられている。
【０００６】
このように構成されたミシン目２４０は、斜線部側から分離シート２０１を破断、分離していくと、図５（ｂ）に示すように、分離部分の延長線上に、隣接する切り込み２４１の斜線部が存在することにより、紙むけ等を生じさせることなく分離シート２０１を２つの領域に分離することができる（例えば、特許文献１参照。）。
【先行技術文献】
【特許文献】
【０００７】
【特許文献１】特開２００１−１０６４０号公報
【発明の概要】
【発明が解決しようとする課題】
【０００８】
上述したようなミシン目が形成されたシート媒体は、ミシン目が形成された後にその表面に印刷が施される場合がある。
【０００９】
図６は、図５に示した分離シート２０１に印刷が施される際の切り込み２４１の状態を示す図である。
【００１０】
図５に示した分離シート２０１に印刷を施す場合は、プリンタ等の印刷装置に分離シート２０１がセットされると、分離シート２０１が所定の方向に搬送されていきながらその表面に印刷が施されることになる。その際、分離シート２０１に形成された切り込み２４１が、直線部とその一端から斜めに分岐した斜線部とからなるものであるため、図６に示すように、直線部と斜線部との分岐点に角部が生じており、その角部が印刷装置にひっかかって捲れ上がり部２０２となって捲れ上がり、その後、捲れ上がり部２０２の両端部から分離シート２０１が裂けてしまうという問題点がある。
【００１１】
本発明は、上述したような従来の技術が有する問題点に鑑みてなされたものであって、複数の切り込み線が繋がることによって複数の領域に分離可能なプリント用シートにおいて、切り込み線によって分離した場合に紙むけを生じさせず、かつ、所定方向に搬送されながら表面に印刷が施される場合に切り込み線における引っ掛かりを回避することができるプリント用シートを提供することを目的とする。
【課題を解決するための手段】
【００１２】
上記目的を達成するために本発明は、
複数の切り込み線が、該切り込み線が延びる方向に並んで設けられ、前記複数の切り込み線が繋がることによって複数の領域に分離可能に構成され、所定の方向に搬送されながら表面に印刷が施され、前記切り込み線を介した複数の領域のうち一方の領域が捲り上げられることによって分離されるプリント用シートであって、
前記複数の切り込み線間に、当該複数の切り込み線を結ぶ直線と交差し、該交差した点から当該直線が延びる方向に対して前記プリント用シートの分離開始端側でかつ、前記捲り上げられる領域側に斜めに延びた補助切り込み線を有する。
【００１３】
上記のように構成された本発明においては、プリント用シートを複数の切り込み線を挟んだ２つの領域にその一方の領域を捲り上げることによって分離していくと、切り込み線が設けられた領域においてはその切り込み線によってプリント用シートが分離され、その後、分離部分が切り込み線の一端に達する。分離部分が切り込み線の一端に達すると、その切り込み線と隣接する切り込み線との間の領域が破断して２つの切り込み線が繋がることになるが、複数の切り込み線間には、その複数の切り込み線を結ぶ直線と交差し、その交差した点から、複数の切り込み線を結ぶ直線が延びる方向に対してプリント用シートの分離開始端側でかつ、捲り上げられる領域側に斜めに延びた補助切り込み線が設けられているので、２つの切り込み線間の領域が破断していく方向が、複数の切り込み線が並ぶ方向に対して斜めの方向になったとしても、その延長線上に補助切り込み線が存在し、この補助切り込み線を介して複数の切り込み線が繋がってプリント用シートが分離していく。これにより、複数の切り込み線間においてプリント用シートが破断していく方向が、複数の切り込み線が並ぶ方向に対して斜めの方向になったとしても、紙むけ等を生じさせずにプリント用シートを分離することができる。また、このような作用を生じさせる補助切り込み線は、複数の切り込み線間に設けられており、切り込み線と繋がっているわけではないので、切り込み線にて角部が生じておらず、それにより、所定方向に搬送されながら表面に印刷が施される場合に切り込み線における引っ掛かりが生じることがない。
【００１４】
また、複数の切り込み線が、該切り込み線が延びる方向に並んで設けられ、前記複数の切り込み線が繋がることによって複数の領域に分離可能に構成され、所定の方向に搬送されながら表面に印刷が施され、前記切り込み線を介した複数の領域のうち一方の領域が捲り上げられることによって分離されるプリント用シートであって、
前記複数の切り込み線間に、当該複数の切り込み線を結ぶ直線に対して前記捲り上げられる領域側を始点とし、該始点から前記直線が延びる方向に対して前記プリント用シートの分離開始端側でかつ、当該直線から離れる方向に斜めに延びた補助切り込み線を有する。
【００１５】
上記のように構成された本発明においては、プリント用シートを複数の切り込み線を挟んだ２つの領域にその一方の領域を捲り上げることによって分離していくと、切り込み線が設けられた領域においてはその切り込み線によってプリント用シートが分離され、その後、分離部分が切り込み線の一端に達する。分離部分が切り込み線の一端に達すると、その切り込み線と隣接する切り込み線との間の領域が破断して２つの切り込み線が繋がることになるが、複数の切り込み線間には、その複数の切り込み線を結ぶ直線に対して捲り上げられる領域側を始点とし、その始点から、複数の切り込み線を結ぶ直線が延びる方向に対してプリント用シートの分離開始端側でかつ、複数の切り込み線を結ぶ直線から離れる方向に斜めに延びた補助切り込み線が設けられているので、２つの切り込み線間の領域が破断していく方向が、複数の切り込み線が並ぶ方向に対して斜めの方向になったとしても、その延長線上に補助切り込み線が存在し、この補助切り込み線を介して複数の切り込み線が繋がってプリント用シートが分離していく。これにより、複数の切り込み線間においてプリント用シートが破断していく方向が、複数の切り込み線が並ぶ方向に対して斜めの方向になったとしても、紙むけ等を生じさせずにプリント用シートを分離することができる。また、このような作用を生じさせる補助切り込み線は、複数の切り込み線間に設けられており、切り込み線と繋がっているわけではないので、切り込み線にて角部が生じておらず、それにより、所定方向に搬送されながら表面に印刷が施される場合に切り込み線における引っ掛かりが生じることがない。
【発明の効果】
【００１６】
以上説明したように本発明においては、プリント用シートを分離するために一方向に並んで設けられた複数の切り込み線間に、その複数の切り込み線を結ぶ直線と交差し、その交差した点から、複数の切り込み線を結ぶ直線が延びる方向に対してプリント用シートの分離開始端側でかつ、プリント用シートを分離するために捲り上げられる領域側に斜めに延びた補助切り込み線が設けられているため、複数の切り込み線間においてプリント用シートが破断、分離していく方向が、複数の切り込み線が並ぶ方向に対して斜めの方向になったとしても、その延長線上に補助切り込み線が存在し、この補助切り込み線を介して複数の切り込み線が繋がってプリント用シートが分離していくこととなり、紙むけ等を生じさせずにプリント用シートを分離することができる。また、このような作用を生じさせる補助切り込み線が、複数の切り込み線間に設けられており、切り込み線と繋がっているわけではないので、切り込み線にて角部が生じておらず、それにより、所定方向に搬送されながら表面に印刷が施される場合に切り込み線における引っ掛かりを回避することができる。
【００１７】
また、プリント用シートを分離するために一方向に並んで設けられた複数の切り込み線間に、その複数の切り込み線を結ぶ直線に対して捲り上げられる領域側を始点とし、その始点から、その直線が延びる方向に対してプリント用シートの分離開始端側でかつ、複数の切り込み線を結ぶ直線から離れる方向に斜めに延びた補助切り込み線が設けられているものにおいても、複数の切り込み線間においてプリント用シートが破断、分離していく方向が、複数の切り込み線が並ぶ方向に対して斜めの方向になったとしても、その延長線上に補助切り込み線が存在し、この補助切り込み線を介して複数の切り込み線が繋がってプリント用シートが分離していくこととなり、紙むけ等を生じさせずにプリント用シートを分離することができる。また、このような作用を生じさせる補助切り込み線が、複数の切り込み線間に設けられており、切り込み線と繋がっているわけではないので、切り込み線にて角部が生じておらず、それにより、所定方向に搬送されながら表面に印刷が施される場合に切り込み線における引っ掛かりを回避することができる。
【図面の簡単な説明】
【００１８】
【図１】本発明のプリント用シートの第１の実施の形態を示す図であり、（ａ）は表面図、（ｂ）は（ａ）に示したＡ−Ａ’断面図、（ｃ）は（ａ）に示したミシン目の詳細な構成を示す図である。
【図２】図１に示した隠蔽はがきの開封時の作用を説明するための図である。
【図３】本発明のプリント用シートの第２の実施の形態を示す図であり、（ａ）は表面図、（ｂ）は（ａ）に示したＡ−Ａ’断面図、（ｃ）は（ａ）に示したミシン目の詳細な構成を示す図である。
【図４】図３に示した配送伝票において受領票が貼付票から分離される際の作用を説明するための図である。
【図５】従来のミシン目の一例を示す図であり、（ａ）はその構成を示す図、（ｂ）はミシン目に沿って分離シートが破断されていく様子を示す図である。
【図６】図５に示した分離シートに印刷が施される際の切り込み２４１の状態を示す図である。
【発明を実施するための形態】
【００１９】
以下に、本発明の実施の形態について図面を参照して説明する。
【００２０】
（第１の実施の形態）
図１は、本発明のプリント用シートの第１の実施の形態を示す図であり、（ａ）は表面図、（ｂ）は（ａ）に示したＡ−Ａ’断面図、（ｃ）は（ａ）に示したミシン目４０の詳細な構成を示す図である。
【００２１】
本形態は図１（ａ），（ｂ）に示すように、第１紙片部１０と第２紙片部２０とが折り部３０を介して連接し、これら第１紙片部１０と第２紙片部２０とが折り部３０を中心として折り畳まれ、粘着剤５１，５２によって貼着されてなる隠蔽はがき１である。
【００２２】
第１紙片部１０は、折り部３０とは反対側の辺に沿ってこの第１紙片部１０を２つの領域に分離するためのミシン目４０が形成されているとともに、ミシン目４０に対して折り部３０側に、この隠蔽はがき１の送付先の住所や氏名を印刷するための宛先情報印刷領域１１が設けられている。また、ミシン目４０によって第１紙片部１０を２つの領域に分離する分離開始端には、折り部３０側に切り欠かれた切り欠き１２が設けられている。
【００２３】
そして、折り部３０を中心として折り畳まれた第１紙片部１０と第２紙片部２０とは、ミシン目４０を介して折り部３０側が、貼着後の剥離が可能な粘着剤５１によって剥離可能に貼着され、ミシン目４０を介して折り部３０とは反対側が、貼着後の剥離が困難な粘着剤５２によって剥離困難に貼着されている。
【００２４】
第１紙片部１０に形成されたミシン目４０は、図１（ｃ）に示すように、２種類のカット部４１，４２とタイ部４３とから構成されている。カット部４１は、本発明の切り込み線となるものであって、カット部４１のそれぞれが延びる方向にタイ部４３を挟んで並んで形成されている。カット部４２は、本発明の補助切り込み線となるものであって、タイ部４３においてカット部４１とは繋がらない状態で形成されている。このカット部４２は、カット部４２が形成されているタイ部４３の両側の２つのカット部４１を直線で結んだ場合、第１紙片部１０の折り部３０側が、第１の紙片部１０を２つの領域に分離する分離開始端側に延びるようにその直線に斜めに交差して形成されており、その交差位置に対して分離開始端側に延びた領域の方がその反対側よりも長くなっている。すなわち、カット部４２は、そのカット部４２が形成されているタイ部４３の両側の２つのカット部４１を結ぶ直線から、その直線が延びる方向に対して第１紙片部１０を２つの領域に分離する分離開始端側に斜めに延びた線分を有して形成されている。また、カット部４２とそれに隣接する２つのカット部４１との間隔は、カット部４２と分離開始端側のカット部４１との間隔が、カット部４２と分離開始端とは反対側のカット部４１との間隔よりも広くなっており、カット部４２と分離開始端とは反対側のカット部４１とは、その間隔が、例えば０．５ｍｍ程度となるように近接している。
【００２５】
上記のように構成された隠蔽はがき１は、第１紙片部１０と第２紙片部２０とが上述したように貼着された状態で、プリンタ等の印刷装置にセットされ、宛先情報印刷領域１１に、この隠蔽はがき１の送付先の住所や氏名からなる宛先情報が印刷されることになる。そして、隠蔽はがき１の送付先において、切り欠き１２を分離開始端としてミシン目４０に沿って第１紙片部１０が破断されることによって２つの領域に分離されていき、第１紙片部１０と第２紙片部２０とが見開かれ、第１紙片部１０と第２紙片部２０の貼着面に印刷された情報が通知されることになる。
【００２６】
ここで、図１に示した隠蔽はがき１に対して、プリンタ等の印刷装置において宛先情報印刷領域１１に宛先情報が印刷される際の作用について説明する。
【００２７】
図１に示した隠蔽はがき１は、第１紙片部１０と第２紙片部２０とが折り部３０にて折り畳まれて粘着剤５１，５２によって貼着された状態で、プリンタ等の印刷装置にセットされ、宛先情報印刷領域１１に宛先情報が印刷されることになるが、その送付先にて第１紙片部１０と第２紙片部２０とを見開くために第１紙片部１０を破断、分離するためのミシン目４０が、第１紙片部１０の分離方向に延びる複数のカット部４１と、複数のカット部４１間のタイ部４３においてカット部４１が延びる方向に対して斜めの方向に延びるカット部４２とから構成されており、これらカット部４１とカット部４２とが繋がっていないため、第１紙片部１０に形成されたミシン目４０には、直線状のカット部が複数繋がることによって形成される角部が存在せず、それにより、所定方向に搬送されながら宛先情報印刷領域１１に宛先情報が印刷される場合にカット部における引っ掛かりが生じることがない。
【００２８】
以下に、上述した隠蔽はがき１の開封時の作用について説明する。
【００２９】
図２は、図１に示した隠蔽はがき１の開封時の作用を説明するための図である。
【００３０】
図１に示した隠蔽はがき１が第１紙片部１０と第２紙片部２０とが貼着された状態で、第１紙片部１０に印刷された宛先情報１１ａに従って隠蔽はがき１の送付先に届けられた後、この隠蔽はがき１を開封する場合は、図２（ａ）に示すように、第１紙片部１０に設けられた切り欠き１２から第１紙片部１０を摘み、第１紙片部１０を折り部３０側に捲り上げながら第２紙片部２０から剥離していく。ここで、第１紙片部１０と第２紙片部とは、ミシン目４０を介して折り部３０とは反対側が、貼着後の剥離が困難な粘着剤５２によって剥離困難に貼着されているものの、ミシン目４０を介して折り部３０側が、貼着後の剥離が可能な粘着剤５１によって剥離可能に貼着されているため、ミシン目４０を介して折り部３０側においては、第１紙片部１０と第２紙片部とを剥離することができる。
【００３１】
第１紙片部１０を折り部３０側に捲り上げていくと、カット部４１が設けられた領域においてはそのカット部４１によって第１紙片部１０が２つの領域に分離し、その後、第１紙片部１０の分離部分がカット部４１の分離開始端とは反対側の端部に達する。すると、タイ部４３がカット部４１の端部から折り部３０の方向に斜めに破断していくが、図２（ｂ）に示すように、その破断による第１紙片部１０の分離部分の延長線上には、タイ部４３に形成されたカット部４２が存在するため、第１紙片部１０の分離部分がこのカット部４２に繋がる。
【００３２】
そして、カット部４２によって第１紙片部１０が分離していき、その後、第１紙片部１０の分離部分がカット部４２の分離開始端とは反対側の端部に達すると、タイ部４３がカット部４２の端部から折り部３０の方向に斜めに破断していく。この際、カット部４２の分離開始端とは反対側の端部は、そのカット部４２の分離開始端とは反対側に隣接するカット部４１と近接しているため、図２（ｃ）に示すように、第１紙片部１０の破断による分離部分が、カット部４２の分離開始端とは反対側に隣接するカット部４１に繋がることになる。
【００３３】
このようにして、第１紙片部１０を折り部３０側に捲り上げながら第２紙片部２０から剥離していくと、カット部４１とカット部４２とが繋がっていくことにより、図２（ｄ）に示すように、第１紙片部１０がミシン目４０に沿って破断、分離しながら第２紙片部２０から剥離されていき、隠蔽はがき１を開封することができる。
【００３４】
このように、図１に示した隠蔽はがき１においては、開封時に第１紙片部１０を破断、分離するために第１紙片部１０に形成されたミシン目４０が、第１紙片部１０の分離方向に延びる複数のカット部４１と、この複数のカット部４１間のタイ部４３において、そのタイ部４３の両側の２つのカット部４１を結ぶ直線から、その直線が延びる方向に対して第１紙片部１０を分離する分離開始端側でかつ、第１紙片部１０のうち捲り上げられる領域側に斜めに延びた線分を有するカット部４２とから構成されているため、第１紙片部１０を分離するためにタイ部４３が破断していく方向が、複数のカット部４１が並ぶ方向に対して斜めの方向になったとしても、その延長線上にカット部４２が存在し、このカット部４２を介して複数のカット部４１が繋がって第１紙片部１０が破断、分離していくことになる。これにより、第１紙片部１０を分離するための複数のカット部４１間のタイ部４３において、第１紙片部１０を分離するためにタイ部４３が破断していく方向が、複数のカット部４１が並ぶ方向に対して斜めの方向になったとしても、紙むけ等を生じさせずに第１紙片部１０を破断、分離することができる。
【００３５】
また、カット部４２の構成が、カット部４２が形成されているタイ部４３の両側の２つのカット部４１を直線で結んだ場合、第１紙片部１０の折り部３０側が、第１の紙片部１０を２つの領域に分離する分離開始端側に延びるようにその直線に斜めに交差して形成されており、それにより、その交差位置に対して分離開始端とは反対側にも延びたものとなっているため、分離開始端側からの第１紙片部１０の分離方向が図２に示した方向に対してずれた場合であっても、紙剥けを生じにくくすることができる。
【００３６】
（第２の実施の形態）
図３は、本発明のプリント用シートの第２の実施の形態を示す図であり、（ａ）は表面図、（ｂ）は（ａ）に示したＡ−Ａ’断面図、（ｃ）は（ａ）に示したミシン目１４０の詳細な構成を示す図である。
【００３７】
本形態は図３（ａ），（ｂ）に示すように、貼付票１１０と受領票１２０とが一体となって粘着剤１５０によって剥離紙１３０に剥離可能に貼着された配送伝票１０１である。
【００３８】
受領票１２０は、配送伝票１０１の長手方向に延びるミシン目１４５と、ミシン目１４５が延びる方向とは直交する方向に延びるミシン目１４０とによって貼付票１１０から分離可能に構成されており、表面に、この配送伝票１０１が貼着される配送物の配送先の住所や氏名等の配送情報を印刷するための配送情報印刷領域１２１と、受領印を押下するための押印領域１２２とが設けられている。なお、受領票１２０の裏面には、粘着剤が塗布されていない。また、ミシン目１４０，１４５によって受領票１２０を貼付票１１０から分離する分離開始端となる図中左下角部には、受領票１２０の内部側に切り欠かれた切り欠き１１２が設けられている。
【００３９】
貼付票１１０は、表面に、この配送伝票１０１が貼着される配送物の配送先の住所や氏名等の配送情報を印刷するための配送情報印刷領域１１１が設けられており、裏面の全面に粘着剤１５０が塗布されている。
【００４０】
貼付票１１０から受領票１２０を分離するためのミシン目１４５は、配送伝票１０１の長手方向にカット部とタイ部とが交互に配列されて構成されている。また、ミシン目１４０は、ミシン目１４５が延びる方向とは直交する方向において、図３（ｃ）に示すように、２種類のカット部１４１，１４２とタイ部１４３とが配列されて構成されている。カット部１４１は、本発明の切り込み線となるものであって、カット部１４１のそれぞれが延びる方向にタイ部１４３を挟んで並んで形成されている。カット部１４２は、本発明の補助切り込み線となるものであって、タイ部１４３においてカット部１４１とは繋がらない状態で形成されている。受領票１２０は、後述するように、切り欠き１１２から分離され始め、配送伝票１０１の内側のミシン目１４０が図中下方から破断されていくとともに、図中下側のミシン目１４５が図中左側から破断されていき、次に、図中上側のミシン目１４５が図中左側から破断されていき、その後、配送伝票１０１の外側のミシン目１４０が図中上方から破断されていくことによって、貼付票１１０から分離される。そのため、ミシン目１４０においての分離開始端は、配送伝票１０１の内側のミシン目１４０が図中下端部となり、配送伝票１０１の外側のミシン目１４０が図中上端部となる。カット部１４２は、カット部１４２が形成されているタイ部１４３の両側の２つのカット部１４１を結ぶ直線から、その直線が延びる方向に対して、受領票１２０を貼付票１１０から分離する分離開始端側でかつ、受領票１２０の内側に斜めに延びて形成されている。なお、このように、カット部１４２が、カット部１４２が形成されているタイ部１４３の両側の２つのカット部１４１を結ぶ直線から延びているものも含めて、本願では、カット部１４２が、カット部１４２が形成されているタイ部１４３の両側の２つのカット部１４１を結ぶ直線と交差すると定義する。また、カット部１４２とそれに隣接する２つのカット部１４１との間隔は、カット部１４２と分離開始端側のカット部１４１との間隔が、カット部１４２と分離開始端とは反対側のカット部１４１との間隔よりも広くなっており、カット部１４２と分離開始端とは反対側のカット部１４１とは、その間隔が、例えば０．５ｍｍ程度となるように近接している。
【００４１】
上記のように構成された配送伝票１０１は、貼付票１１０と受領票１２０とが上述したように一体となった状態で、プリンタ等の印刷装置にセットされ、配送情報印刷領域１１１，１２１に、この配送伝票１０１が貼着される配送物の配送先の住所や氏名等の配送情報が印刷されることになる。そして、この配送伝票１０１が貼着された配送物の配送先において、受領票１２０の押印領域１２２に受領印が押下された後、切り欠き１１２を分離開始端としてミシン目１４０，１４５が破断されることによって受領票１２０が貼付票１１０から分離されて回収されることになる。
【００４２】
ここで、図３に示した配送伝票１０１に対して、プリンタ等の印刷装置において配送情報印刷領域１１１，１２１に配送情報が印刷される際の作用について説明する。
【００４３】
図３に示した配送伝票１０１は、配送伝票１０１の長手方向に搬送されながら配送情報印刷領域１１１，１２１に配送情報が印刷されることになるが、配送伝票１０１の長手方向とは直交する方向に延びたミシン目１４０が、配送伝票１０１の長手方向に直交する方向に延びる複数のカット部１４１と、複数のカット部１４１間のタイ部１４３においてカット部１４１が延びる方向に対して斜めの方向に延びるカット部１４２とから構成されており、これらカット部１４１とカット部１４２とが繋がっておらず、また、ミシン目１４５が、配送伝票１０１の長手方向に延びたカット部のみから構成されているため、これら貼付票１１０から受領票１２０を分離するためのミシン目１４０，１４５には、直線状のカット部が複数繋がることによって形成される角部が存在せず、それにより、所定方向に搬送されながら配送情報印刷領域１１１，１２１に配送情報が印刷される場合にカット部における引っ掛かりが生じることがない。また、配送伝票１０１がその長手方向に搬送されることによって、配送伝票１０１には長手方向に引っ張られる外力が加わるが、ミシン目１４０においては、その外力が、外力が加わる方向に対して斜めの方向に延びているカット部１４２にて吸収され、カット部１４１が外力によって裂けてしまうことを回避することができる。
【００４４】
以下に、上述した配送伝票１０１において受領票１２０が貼付票１１０から分離される際の作用について説明する。
【００４５】
図４は、図３に示した配送伝票１０１において受領票１２０が貼付票１１０から分離される際の作用を説明するための図である。
【００４６】
図３に示した配送伝票１０１は、配送情報印刷領域１１１，１２１に、この配送伝票１０１が貼着される配送物の配送先の住所や氏名等の配送伝票が印刷された後、剥離紙１３０が剥離されて粘着剤１５０によって配送物に貼着されて使用される。
【００４７】
配送伝票１０１が貼着された配送物が、配送情報印刷領域１１１，１２１に印刷された配送情報１２１ａに従って配送先に届けられた後、受領票１２０の押印領域１２２に受領印が押下され、切り欠き１１２を分離開始端としてミシン目１４０，１４５が破断されることによって、受領票１２０が貼付票１１０から分離され、回収される。ここで、配送伝票１０１は、貼付票１１０の裏面に塗布された粘着剤１５０によって配送物に貼着されているものの、受領票１２０の裏面には粘着剤が塗布されていないため、貼付票１１０から分離した受領票１２０を回収することができる。
【００４８】
受領票１２０を貼付票１１０から分離する場合は、図４（ａ）に示すように、受領票１２０に設けられた切り欠き１１２から受領票１２０を摘み、受領票２０を図中右側に捲り上げていく。すると、受領票１２０は、切り欠き１１２から分離し始め、配送伝票１０１の内側のミシン目１４０が図中下方から破断されていくとともに、図中下側のミシン目１４５が図中左側から破断されていく。この際、カット部１４１が設けられた領域においてはそのカット部１４１によって受領票１２０と貼付票１１０とが分離し、その後、これら受領票１２０と貼付票１１０との分離部分がカット部１４１の分離開始端とは反対側の端部に達する。すると、タイ部１４３がカット部１４１の端部から受領票１２０の内側の方向に斜めに破断していくが、図４（ｂ）に示すように、その破断による受領票１２０と貼付票１１０との分離部分の延長線上には、タイ部１４３に形成されたカット部１４２が存在するため、受領票１２０と貼付票１１０との分離部分がこのカット部１４２に繋がる。また、ミシン目１４５が設けられた領域においては、カット部間のタイ部が破断していくことによって受領票１２０と貼付票１１０とが分離していく。
【００４９】
そして、カット部１４２によって受領票１２０と貼付票１１０とが分離していき、その後、受領票１２０と貼付票１１０との分離部分がカット部１４２の分離開始端とは反対側の端部に達すると、タイ部１４３が破断していくが、カット部１４２の分離開始端とは反対側の端部は、そのカット部１４２の分離開始端とは反対側に隣接するカット部１４１と近接しているため、図４（ｃ）に示すように、タイ部１４３の破断による分離部分が、カット部１４２の分離開始端とは反対側に隣接するカット部１４１に繋がることになる。
【００５０】
このようにして、受領票１２０を貼付票１１０から分離するためのミシン目１４０においては、切り欠き１１２を摘んで受領票２０を図中右側に捲り上げていくと、カット部１４１とカット部１４２とが繋がっていくことにより、図４（ｄ）に示すように、受領票１２０と貼付票１１０とがミシン目１４０に沿って分離していくことになる。
【００５１】
次に、図中上側のミシン目１４５が図中左側から破断されていき、その後、配送伝票１０１の外側のミシン目１４０が図中上方から破断されていく。配送伝票１０１の外側のミシン目１４０においては、図中上端部が分離開始端となるため、配送伝票１０１の内側のミシン目１４０の場合と同様の作用によって、受領票１２０と貼付票１１０とが分離していく。
【００５２】
このように、図３に示した配送伝票１０１においては、受領票１２０を貼付票１１０から分離するためのミシン目１４０，１４５のうち、配送情報印刷領域１１１，１２１に対する配送情報の印刷の際に配送伝票１０１が搬送される搬送方向に直交する方向、すなわち、配送伝票１０１の長手方向に直交する方向に延びたミシン目１４０が、配送伝票１０１の長手方向に直交する方向に延びる複数のカット部１４１と、この複数のカット部１４１間のタイ部１４３において、そのタイ部１４３の両側の２つのカット部１４１を結ぶ直線から、その直線が延びる方向に対して受領票１２０を貼付票１１０から分離する分離開始端側でかつ、捲り上げられる受領票１２０側に斜めに延びた線分を有するカット部１４２とから構成されているため、受領票１２０を貼付票１１０から分離するためにタイ部１４３が破断していく方向が、複数のカット部１４１が並ぶ方向に対して斜めの方向になったとしても、その延長線上にカット部１４２が存在し、このカット部１４２を介して複数のカット部１４１が繋がって、受領票１２０が貼付票１１０から分離していくことになる。これにより、受領票１２０を貼付票１１０から分離するための複数のカット部１４１間のタイ部１４３において、受領票１２０を貼付票１１０から分離するためにタイ部１４３が破断していく方向が、複数のカット部１４１が並ぶ方向に対して斜めの方向になったとしても、紙むけ等を生じさせずに受領票１２０を貼付票１１０から分離することができる。
【００５３】
なお、本形態においては、受領票１２０を貼付票１１０から分離するためのミシン目１４０，１４５のうち、配送伝票１０１の長手方向に直交する方向に延びるミシン目１４０が、配送伝票１０１の長手方向に直交する方向に延びる複数のカット部１４１と、この複数のカット部１４１間のタイ部１４３において、カット部１４１に対して斜めに延びた線分を有するカット部１４２とから構成された構成としているが、受領票１２０の全周をこのような構成のミシン目１４０としてもよい。
【００５４】
また、上述した２つの実施の形態においては、カット部４２，１４２が、カット部４２，１４２が形成されているタイ部４３，１４３の両側の２つのカット部４１，１４１を結ぶ直線と交差するものを例に挙げて説明したが、カット部４２，１４２が、カット部４２，１４２が形成されているタイ部４３，１４３の両側の２つのカット部４１，１４１を結ぶ直線と交差せず、２つのカット部４１，１４１を結ぶ直線に対して、第１紙片部１０の捲り上げられる領域側や受領票１２０側を始点とし、その始点から、２つのカット部４１，１４１を結ぶ直線が延びる方向に対して第１紙片部１０や受領票１２０の分離開始端側でかつ、この直線から離れる方向に斜めに延びたものであっても、カット部４２，１４２の始点が、第１紙片部１０の捲り上げられる領域側や受領票１２０側に若干ずれた程度であれば、上記同様の作用、効果が生じることとなる。
【００５５】
また、上述した２つの実施の形態においては、第１紙片部１０を分離するためのミシン目４０や、受領票１２０を貼付票１１０から分離するためのミシン目１４０が、一方向に並んで配列された複数のカット部４１，１４１間のタイ部４３，１４３に、カット部４１，１４１が延びる方向に対して斜めに延びたカット部４２，１４２が１つずつ形成されたものを例に挙げて説明したが、カット部４１，１４１間のタイ部４３，１４３に、このタイ部４３，１４３の両側の２つのカット部４１，１４１を結ぶ直線から、この直線が延びる方向に対して、第１紙片部１０や受領票１２０を分離する分離開始端側に斜めに延びた２つのカット部を、２つのカット部４１，１４１を結ぶ直線上にて空隙を有して対向するように形成してもよい。
【００５６】
また、上述した２つの実施の形態においては、プリント用シートとして隠蔽はがき１や配送伝票１０１を例に挙げて説明したが、本発明はこれらに限らず、折り部を介して形成される封書のような形態のものであってもよい。
【符号の説明】
【００５７】
１    隠蔽はがき
１０    第１紙片部
１１    宛先情報印刷領域
１１ａ    宛先情報
１２，１１２    切り欠き
２０    第２紙片部
３０    折り部
４０，１４０，１４５    ミシン目
４１，４２，１４１，１４２    カット部
４３，１４３    タイ部
５１，５２，１５０    粘着剤
１０１    配送伝票
１１０    貼付票
１１１，１２１    配送情報印刷領域
１２０    受領票
１２１ａ    配送情報
１２２    押印領域
１３０    剥離紙
【図１】
2011189681.tif 000003
【図２】
2011189681.tif 000004
【図３】
2011189681.tif 000005
【図４】
2011189681.tif 000006
【図５】
2011189681.tif 000007
【図６】
2011189681.tif 000008